(57)【要約】【課題】容易に結び目が形成できることで地毛に増毛用毛髪を結ぶ時間を短縮することができ、しかも変形が起こり難い増毛用結び具及び増毛用結び具の使用方法を提供する。【解決手段】増毛用毛髪Ｚを地毛Ｊに結ぶ増毛用結び具２０であって、棒状本体部２１の一端側に設けられ、略円柱状で増毛用毛髪Ｚ及び地毛Ｊを重ねた第一束３１，第二束３２を巻き付ける巻付部２２と、巻付部２２の先端から巻付部２２の中心軸に平行に形成され巻付部２２を二股状に分割するスリット２３と、巻付部２２の分割された一方２２ａからスリット２３内に延設され第一束３１，第二束３２を係止する樹脂製の繊維材からなるフック２４を備える。【選択図】図１
2011202324.tif 000002
【特許請求の範囲】
【請求項１】
増毛用毛髪を地毛に結ぶ増毛用結び具であって、
棒状本体部の一端側に設けられ、略円柱状で前記増毛用毛髪及び前記地毛を重ねた束を巻き付ける巻付部と、
前記巻付部の先端から前記巻付部の中心軸に平行に形成され前記巻付部を二股状に分割するスリットと、
前記巻付部の分割された一方からスリット内に延設され前記束を係止するフックと、を備えることを特徴とする増毛用結び具。
【請求項２】
前記巻付部の分割された一方には前記スリット側に孔が形成され、前記フックは樹脂製の繊維材を前記孔に挿入してなることを特徴とする請求項１に記載の増毛用結び具。
【請求項３】
前記棒状本体部の一端側の径は前記巻付部の径よりも大きく、前記棒状本体部と前記巻付部との境界に段差部を設けたことを特徴とする請求項１又は２に記載の増毛用結び具。
【請求項４】
前記巻付部の分割された一方の長さは、他方の長さよりも短いことを特徴とする請求項１乃至３のうちいずれか一つに記載の増毛用結び具。
【請求項５】
前記フックは、前記巻付部の分割された他方から離間させた状態で設けられたことを特徴とする請求項１乃至４のうちいずれか一つに記載の増毛用結び具。
【請求項６】
前記巻付部の分割された他方の後端側内壁は、その先端側内壁よりも外側に位置し、しかも前記フックの先端は前記先端側内壁よりも外側に位置することを特徴とする請求項１乃至５のうちいずれか一つに記載の増毛用結び具。
【請求項７】
前記棒状本体部の他端側に、前記巻付部の径よりも径が小さく他端側に延びるピンが設けられたことを特徴とする請求項１乃至６のうちいずれか一つに記載の増毛用結び具。
【請求項８】
請求項１乃至６のうちいずれか一つに記載の増毛用結び具の使用方法であって、
前記地毛に前記増毛用毛髪の略中央部が位置するように前記増毛用毛髪及び前記地毛を重ねて束にするとともに、前記束の毛先側を把持し、前記束の根元側が前記束の毛先側よりも前記巻付部の先端側に位置するように、前記増毛用結び具を回転させて前記束を前記巻付部に巻き付ける巻付工程と、
前記束の毛先側を前記巻付部の分割された他方に沿ってスライドさせ前記フックよりも前記スリット奥側に入れ、前記増毛用結び具を引いて前記束を前記フックに係止させる係止工程と、
前記束が前記フックに係止された状態で前記増毛用結び具をさらに引いて、前記束が前記巻付部に巻き付けられて形成された輪に、前記束の毛先側を通して結び目を形成する引抜工程と、
前記束の先端側を引きつつ前記結び目を前記束の所望の位置に寄せて、さらに前記束の先端側を引いて前記結び目を固締めする連結工程と、を備えることを特徴とする増毛用結び具の使用方法。
【請求項９】
請求項１乃至６のうちいずれか一つに記載の増毛用結び具の使用方法であって、
前記地毛に前記増毛用毛髪の略中央部が位置するように前記増毛用毛髪及び前記地毛を重ねて第一束にするとともに、前記第一束の毛先側を把持し、前記第一束の根元側が前記第一束の毛先側よりも前記巻付部の先端側に位置するように、前記増毛用結び具を回転させて前記第一束を前記巻付部に巻き付ける第一巻付工程と、
前記第一束の毛先側を前記巻付部の分割された他方に沿ってスライドさせ前記フックよりも前記スリット奥側に入れ、前記増毛用結び具を引いて前記第一束を前記フックに係止させる第一係止工程と、
前記第一束が前記フックに係止された状態で前記増毛用結び具をさらに引いて、前記第一束が前記巻付部に巻き付けられて形成された輪に、前記第一束の毛先側を通して第一結び目を形成する第一引抜工程と、
前記第一束の先端側を引きつつ前記第一結び目を前記第一束の所望の位置に寄せて、さらに前記第一束の先端側を引いて前記第一結び目を固締めする第一連結工程と、
前記固締めされた増毛用毛髪及び地毛を重ねて第二束にするとともに、前記第二束の毛先側を把持し、前記第二束の根元側が前記第二束の毛先側よりも前記巻付部の先端側に位置するように、前記増毛用結び具を回転させて前記第二束を前記巻付部に巻き付ける第二巻付工程と、
前記第二束の毛先側を前記巻付部の分割された他方に沿ってスライドさせ前記フックよりも前記スリット奥側に入れ、前記増毛用結び具を引いて前記第二束を前記フックに係止させる第二係止工程と、
前記第二束が前記フックに係止された状態で前記増毛用結び具をさらに引いて、前記第二束が前記巻付部に巻き付けられて形成された輪に、前記第二束の毛先側を通して第二結び目を形成する第二引抜工程と、
前記第二束の先端側を引きつつ前記第二結び目を前記第一結び目に寄せて、さらに前記第二束の先端側を引いて前記第二結び目を前記第一結び目に重ねた状態で固締めする第二連結工程と、を備えることを特徴とする増毛用結び具の使用方法。
【請求項１０】
請求項７に記載の増毛用結び具の使用方法であって、
前記地毛に前記増毛用毛髪の略中央部が位置するように前記増毛用毛髪及び前記地毛を重ねて束にするとともに、前記束の毛先側を把持し、前記束の根元側が前記束の毛先側よりも前記巻付部の先端側に位置するように、前記増毛用結び具を回転させて前記束を前記巻付部に巻き付ける巻付工程と、
前記束の毛先側を前記巻付部の分割された他方に沿ってスライドさせ前記フックよりも前記スリット奥側に入れ、前記増毛用結び具を引いて前記束を前記フックに係止させる係止工程と、
前記束が前記フックに係止された状態で前記増毛用結び具をさらに引いて、前記束が前記巻付部に巻き付けられて形成された輪に、前記束の毛先側を通して結び目を形成する引抜工程と、
前記結び目に前記ピンを挿入し、前記束の先端側を引きつつ前記ピンを使用して前記結び目を前記束の所望の位置に寄せて、さらに前記束の先端側を引いて前記結び目を固締めする連結工程と、を備えることを特徴とする増毛用結び具の使用方法。
【請求項１１】
請求項７に記載の増毛用結び具の使用方法であって、
前記地毛に前記増毛用毛髪の略中央部が位置するように前記増毛用毛髪及び前記地毛を重ねて第一束にするとともに、前記第一束の毛先側を把持し、前記第一束の根元側が前記第一束の毛先側よりも前記巻付部の先端側に位置するように、前記増毛用結び具を回転させて前記第一束を前記巻付部に巻き付ける第一巻付工程と、
前記第一束の毛先側を前記巻付部の分割された他方に沿ってスライドさせ前記フックよりも前記スリット奥側に入れ、前記増毛用結び具を引いて前記第一束を前記フックに係止させる第一係止工程と、
前記第一束が前記フックに係止された状態で前記増毛用結び具をさらに引いて、前記第一束が前記巻付部に巻き付けられて形成された輪に、前記第一束の毛先側を通して第一結び目を形成する第一引抜工程と、
前記第一結び目に前記ピンを挿入し、前記第一束の先端側を引きつつ前記ピンを使用して前記第一結び目を前記第一束の所望の位置に寄せて、さらに前記第一束の先端側を引いて前記第一結び目を固締めする第一連結工程と、
前記固締めされた増毛用毛髪及び地毛を重ねて第二束にするとともに、前記第二束の毛先側を把持し、前記第二束の根元側が前記第二束の毛先側よりも前記巻付部の先端側に位置するように、前記増毛用結び具を回転させて前記第二束を前記巻付部に巻き付ける第二巻付工程と、
前記第二束の毛先側を前記巻付部の分割された他方に沿ってスライドさせ前記フックよりも前記スリット奥側に入れ、前記増毛用結び具を引いて前記第二束を前記フックに係止させる第二係止工程と、
前記第二束が前記フックに係止された状態で前記増毛用結び具をさらに引いて、前記第二束が前記巻付部に巻き付けられて形成された輪に、前記第二束の毛先側を通して第二結び目を形成する第二引抜工程と、
前記第二結び目に前記ピンを挿入し、前記第二束の先端側を引きつつ前記ピンを使用して前記第二結び目を前記第一結び目に寄せて、さらに前記第二束の先端側を引いて前記第二結び目を前記第一結び目に重ねた状態で固締めする第二連結工程と、を備えることを特徴とする増毛用結び具の使用方法。
【発明の詳細な説明】
【技術分野】
【０００１】
本発明は、増毛用毛髪を地毛に結ぶ増毛用結び具及びその増毛用結び具の使用方法に関するものである。
【背景技術】
【０００２】
加齢によって頭髪が薄くなることは男性だけでなく女性にも起こり、多くの人が薄毛に悩んでいる。
また、病気や投薬の副作用で薄毛になってしまうこともあり、薄毛は年配者だけの悩みではない。
一般に、薄毛で悩む人のために、頭皮に人工毛等を植える植毛や、地毛に増毛用毛髪を結び付ける増毛が知られており、増毛は植毛に比べてユーザの金銭的負担が小さいので、美容院等で広く行われている。
美容院では、美容師がユーザに増毛を施すが、美容師であっても専用の器具を用いずに地毛に増毛用毛髪を結ぶことは非常に難しく、作業効率も悪い。
【０００３】
そこで、増毛をより容易に行うために、図１５に示すような増毛用結び具１０が開示されている（例えば、特許文献１参照）。
【先行技術文献】
【特許文献】
【０００４】
【特許文献１】特開２００７−１２６８０２号公報
【０００５】
図１５に記載の発明は、棒状本体部１１の一端に案内ピン１２が設けられ、案内ピン１２と棒状本体部１１との結合部からフック１３が案内ピン１２に対して所定の角度で延設されている。そして、棒状本体部１１の他端には引出ピン１４が設けられている。
フック１３の先端は案内ピン１２側に湾曲させており、フック１３の湾曲部１３ａと案内ピン１２との間には隙間が設けられている。
【０００６】
そして、この増毛用結び具１０の使用方法は、巻付工程と、係止工程と、引抜工程と、連結工程とを備える。
まず、巻付工程において、図１６に示すように、地毛Ｊに増毛用毛髪Ｚの略中央部が位置するように増毛用毛髪Ｚ及び地毛Ｊを重ねて束１６にし、左手で束１６の先端側を把持する。そして、束１６を案内ピン１２及びフック１３よりも手前側に配置する。次に、図１７に示すように、束１６の根元側が束１６の毛先側よりも案内ピン１２の先端側に位置するように、増毛用結び具１０を回転させて束１６を案内ピン１２及びフック１３に巻き付ける。
【０００７】
次に、係止工程において、図１８に示すように、束１６の毛先側を案内ピン１２に沿ってスライドさせて、案内ピン１２とフック１３の湾曲部１３ａとの間を通過させ、増毛用結び具１０を引いて束１６をフック１３の湾曲部１３ａに係止させる。
【０００８】
次に、引抜工程において、束１６がフック１３に係止された状態で増毛用結び具１０をさらに引いて、束１６が案内ピン１２及びフック１３に巻き付けられて形成された輪１７を案内ピン１２及びフック１３に沿わせて輪１７を徐々に大きくし、輪１７がフック１３を乗り越えるようにして、図１９に示すように、輪１７に束１６の毛先側を通して緩い結び目１８を形成する。
【０００９】
そして、連結工程において、図２０に示すように、結び目１８に引出ピン１４又は案内ピン１２を挿入し、束１６の先端側を引きつつ引出ピン１４又は案内ピン１２を使用して、結び目１８を束１６の所望の位置に寄せる。最後に、図２１に示すように、束１６の先端側を引いて結び目１８を固締めする。
【００１０】
この増毛用結び具１０は、案内ピン１２とフック１３が所定の角度となるように形成されているので、案内ピン１２及びフック１３に束１６を巻き付けると案内ピン１２とフック１３先端との間隔に応じた輪１７ができる。そして、フック１３は湾曲部１３ａを備えるので、束１６を係止でき、容易に束１６の先端側を輪１７に通すことができる。
また、地毛Ｊに増毛用毛髪Ｚの略中央部が位置するようにして、地毛Ｊに増毛用毛髪Ｚを結び付けたので、図２２に示すように、一本の地毛Ｊに対して二本の増毛用毛髪Ｚを増毛したように見え、効率良く増毛できる。
【発明の概要】
【発明が解決しようとする課題】
【００１１】
しかしながら、案内ピン１２とフック１３とが所定の角度で広がっているので、引抜工程において、輪１７を案内ピン１２及びフック１３に沿わせて輪１７を徐々に大きくし、輪１７がフック１３を乗り越えるようにするには、輪１７に対し案内ピン１２及びフック１３の先端側に向かってある程度の力を加え、巻き付いた輪１７を強制的に大きくしなければならない。
そのために、例えば右手で増毛用結び具１０を、左手の人差し指及び親指で束１６の毛先側を把持している状態で、さらに左手の中指で輪１７に力を加える必要があるので、作業が非常にやり辛く煩わしい。
【００１２】
一方、補助器具（フォルダーと呼ばれる作業台）を用い、その表面に擦り付けたときの摩擦力を利用して、輪１７がフック１３を容易に乗り越えるようにする方法も考えられるが、この場合には別途、補助器具が必要になるばかりか、引抜工程以外の他の工程のときにその補助器具が邪魔になってしまう。
また、左手の中指で輪１７に加える力の加え方が悪いと、輪１７がフック１３を乗り越えることができなかったり、輪１７がフック１３を乗り越えて結び目１８を形成できたとしても、結び目１８を束１６の所望の位置に寄せることが困難なほど小さい輪１７（結び目１８）になってしまうので、作業効率が悪く、地毛に増毛用毛髪を結ぶ時間が多く掛かってしまう。また、短時間で増毛作業を行えるようになるまでには多くの練習を必要とする。
【００１３】
また、案内ピン１２及びフック１３に巻き付けられた輪１７に力を加えるときには、同時に案内ピン１２及びフック１３に側面から力を加えることにもなるので、使用を続けているうちに案内ピン１２やフック１３が変形してしまうという問題もある。
さらに、案内ピン１２とフック１３の湾曲部１３ａとの隙間は０．２ｍｍ程度と非常に狭く、この隙間に束１６を通すことは難しいが、この隙間を広く形成すると、より輪１７がフック１３を乗り越え難くなるという問題もある。
【００１４】
そこで、本発明の目的とするところは、容易に結び目が形成できることで地毛に増毛用毛髪を結ぶ時間を短縮することができ、しかも変形が起こり難い増毛用結び具及び増毛用結び具の使用方法を提供することにある。
【課題を解決するための手段】
【００１５】
上記の目的を達成するために、本発明の請求項１に記載の増毛用結び具（２０）は、増毛用毛髪（Ｚ）を地毛（Ｊ）に結ぶ増毛用結び具（２０）であって、棒状本体部（２１）の一端側に設けられ、略円柱状で前記増毛用毛髪（Ｚ）及び前記地毛（Ｊ）を重ねた束（３１，３２）を巻き付ける巻付部（２２）と、前記巻付部（２２）の先端から前記巻付部（２２）の中心軸に平行に形成され前記巻付部（２２）を二股状に分割するスリット（２３）と、前記巻付部（２２）の分割された一方（２２ａ）からスリット（２３）内に延設され前記束（３１，３２）を係止するフック（２４）と、を備えることを特徴とする。
【００１６】
また、請求項２に記載の増毛用結び具（２０）は、前記巻付部（２２）の分割された一方（２２ａ）には前記スリット（２３）側に孔（２６）が形成され、前記フック（２４）は樹脂製の繊維材を前記孔（２６）に挿入してなることを特徴とする。
【００１７】
また、請求項３に記載の増毛用結び具（２０）は、前記棒状本体部（２１）の一端側の径は前記巻付部（２２）の径よりも大きく、前記棒状本体部（２１）と前記巻付部（２２）との境界に段差部（２７）を設けたことを特徴とする。
【００１８】
また、請求項４に記載の増毛用結び具（２０）は、前記巻付部（２２）の分割された一方（２２ａ）の長さは、他方（２２ｂ）の長さよりも短いことを特徴とする。
【００１９】
また、請求項５に記載の増毛用結び具（２０）は、前記フック（２４）は、前記巻付部（２２）の分割された他方（２２ｂ）から離間させた状態で設けられたことを特徴とする。
【００２０】
また、請求項６に記載の増毛用結び具（２０）は、前記巻付部（２２）の分割された他方（２２ｂ）の後端側内壁は、その先端側内壁よりも外側に位置し、しかも前記フック（２４）の先端は前記先端側内壁よりも外側に位置することを特徴とする。
【００２１】
また、請求項７に記載の増毛用結び具（２０）は、前記棒状本体部（２１）の他端側に、前記巻付部（２２）の径よりも径が小さく他端側に延びるピン（２５）が設けられたことを特徴とする。
【００２２】
また、請求項８に記載の増毛用結び具（２０）の使用方法は、請求項１乃至６に記載の増毛用結び具の使用方法であって、前記地毛（Ｊ）に前記増毛用毛髪（Ｚ）の略中央部が位置するように前記増毛用毛髪（Ｚ）及び前記地毛（Ｊ）を重ねて束（３１）にするとともに、前記束（３１）の毛先側を把持し、前記束（３１）の根元側が前記束（３１）の毛先側よりも前記巻付部（２２）の先端側に位置するように、前記増毛用結び具（２０）を回転させて前記束（３１）を前記巻付部（２２）に巻き付ける巻付工程と、前記束（３１）の毛先側を前記巻付部（２２）の分割された他方（２２ｂ）に沿ってスライドさせ前記フック（２４）よりも前記スリット（２３）奥側に入れ、前記増毛用結び具（２０）を引いて前記束（３１）を前記フック（２４）に係止させる係止工程と、前記束（３１）が前記フック（２４）に係止された状態で前記増毛用結び具（２０）をさらに引いて、前記束（３１）が前記巻付部（２２）に巻き付けられて形成された輪（３３）に、前記束（３１）の毛先側を通して結び目（３５）を形成する引抜工程と、前記束（３１）の先端側を引きつつ前記結び目（３５）を前記束（３１）の所望の位置に寄せて、さらに前記束（３１）の先端側を引いて前記結び目（３５）を固締めする連結工程と、を備えることを特徴とする。
【００２３】
また、請求項９に記載の増毛用結び具（２０）の使用方法は、請求項１乃至６に記載の増毛用結び具の使用方法であって、前記地毛（Ｊ）に前記増毛用毛髪（Ｚ）の略中央部が位置するように前記増毛用毛髪（Ｚ）及び前記地毛（Ｊ）を重ねて第一束（３１）にするとともに、前記第一束（３１）の毛先側を把持し、前記第一束（３１）の根元側が前記第一束（３１）の毛先側よりも前記巻付部（２２）の先端側に位置するように、前記増毛用結び具（２０）を回転させて前記第一束（３１）を前記巻付部（２２）に巻き付ける第一巻付工程と、前記第一束（３１）の毛先側を前記巻付部（２２）の分割された他方（２２ｂ）に沿ってスライドさせ前記フック（２４）よりも前記スリット（２３）奥側に入れ、前記増毛用結び具（２０）を引いて前記第一束（３１）を前記フック（２４）に係止させる第一係止工程と、前記第一束（３１）が前記フック（２４）に係止された状態で前記増毛用結び具（２０）をさらに引いて、前記第一束（３１）が前記巻付部（２２）に巻き付けられて形成された輪（３３）に、前記第一束（３１）の毛先側を通して第一結び目（３５）を形成する第一引抜工程と、前記第一束（３１）の先端側を引きつつ前記第一結び目（３５）を前記第一束（３１）の所望の位置に寄せて、さらに前記第一束（３１）の先端側を引いて前記第一結び目（３５）を固締めする第一連結工程と、前記固締めされた増毛用毛髪（Ｚ）及び地毛（Ｊ）を重ねて第二束（３２）にするとともに、前記第二束（３２）の毛先側を把持し、前記第二束（３２）の根元側が前記第二束（３２）の毛先側よりも前記巻付部（２２）の先端側に位置するように、前記増毛用結び具（２０）を回転させて前記第二束（３２）を前記巻付部（２２）に巻き付ける第二巻付工程と、前記第二束（３２）の毛先側を前記巻付部（２２）の分割された他方（２２ｂ）に沿ってスライドさせ前記フック（２４）よりも前記スリット（２３）奥側に入れ、前記増毛用結び具（２０）を引いて前記第二束（３２）を前記フック（２４）に係止させる第二係止工程と、前記第二束（３２）が前記フック（２４）に係止された状態で前記増毛用結び具（２０）をさらに引いて、前記第二束（３２）が前記巻付部（２２）に巻き付けられて形成された輪に、前記第二束（３２）の毛先側を通して第二結び目（３６）を形成する第二引抜工程と、前記第二束（３２）の先端側を引きつつ前記第二結び目（３６）を前記第一結び目（３５）に寄せて、さらに前記第二束（３２）の先端側を引いて前記第二結び目（３６）を前記第一結び目（３５）に重ねた状態で固締めする第二連結工程と、を備えることを特徴とする。
【００２４】
また、請求項１０に記載の増毛用結び具（２０）の使用方法は、請求項７に記載の増毛用結び具の使用方法であって、前記地毛（Ｊ）に前記増毛用毛髪（Ｚ）の略中央部が位置するように前記増毛用毛髪（Ｚ）及び前記地毛（Ｊ）を重ねて束（３１）にするとともに、前記束（３１）の毛先側を把持し、前記束（３１）の根元側が前記束（３１）の毛先側よりも前記巻付部（２２）の先端側に位置するように、前記増毛用結び具（２０）を回転させて前記束（３１）を前記巻付部（２２）に巻き付ける巻付工程と、前記束（３１）の毛先側を前記巻付部（２２）の分割された他方（２２ｂ）に沿ってスライドさせ前記フック（２４）よりも前記スリット（２３）奥側に入れ、前記増毛用結び具（２０）を引いて前記束（３１）を前記フック（２４）に係止させる係止工程と、前記束（３１）が前記フック（２４）に係止された状態で前記増毛用結び具（２０）をさらに引いて、前記束（３１）が前記巻付部（２２）に巻き付けられて形成された輪（３３）に、前記束（３１）の毛先側を通して結び目（３５）を形成する引抜工程と、前記結び目（３５）に前記ピン（２５）を挿入し、前記束（３１）の先端側を引きつつ前記ピン（２５）を使用して前記結び目（３５）を前記束（３１）の所望の位置に寄せて、さらに前記束（３１）の先端側を引いて前記結び目（３５）を固締めする連結工程と、を備えることを特徴とする。
【００２５】
また、請求項１１に記載の増毛用結び具（２０）の使用方法は、請求項７に記載の増毛用結び具の使用方法であって、前記地毛（Ｊ）に前記増毛用毛髪（Ｚ）の略中央部が位置するように前記増毛用毛髪（Ｚ）及び前記地毛（Ｊ）を重ねて第一束（３１）にするとともに、前記第一束（３１）の毛先側を把持し、前記第一束（３１）の根元側が前記第一束（３１）の毛先側よりも前記巻付部（２２）の先端側に位置するように、前記増毛用結び具（２０）を回転させて前記第一束（３１）を前記巻付部（２２）に巻き付ける第一巻付工程と、前記第一束（３１）の毛先側を前記巻付部（２２）の分割された他方（２２ｂ）に沿ってスライドさせ前記フック（２４）よりも前記スリット（２３）奥側に入れ、前記増毛用結び具（２０）を引いて前記第一束（３１）を前記フック（２４）に係止させる第一係止工程と、前記第一束（３１）が前記フック（２４）に係止された状態で前記増毛用結び具（２０）をさらに引いて、前記第一束（３１）が前記巻付部（２２）に巻き付けられて形成された輪（３３）に、前記第一束（３１）の毛先側を通して第一結び目（３５）を形成する第一引抜工程と、前記第一結び目（３５）に前記ピン（２５）を挿入し、前記第一束（３１）の先端側を引きつつ前記ピン（２５）を使用して前記第一結び目（３５）を前記第一束（３１）の所望の位置に寄せて、さらに前記第一束（３１）の先端側を引いて前記第一結び目（３５）を固締めする第一連結工程と、前記固締めされた増毛用毛髪（Ｚ）及び地毛（Ｊ）を重ねて第二束（３２）にするとともに、前記第二束（３２）の毛先側を把持し、前記第二束（３２）の根元側が前記第二束（３２）の毛先側よりも前記巻付部（２２）の先端側に位置するように、前記増毛用結び具（２０）を回転させて前記第二束（３２）を前記巻付部（２２）に巻き付ける第二巻付工程と、前記第二束（３２）の毛先側を前記巻付部（２２）の分割された他方（２２ｂ）に沿ってスライドさせ前記フック（２４）よりも前記スリット（２３）奥側に入れ、前記増毛用結び具（２０）を引いて前記第二束（３２）を前記フック（２４）に係止させる第二係止工程と、前記第二束（３２）が前記フック（２４）に係止された状態で前記増毛用結び具（２０）をさらに引いて、前記第二束（３２）が前記巻付部（２２）に巻き付けられて形成された輪に、前記第二束（３２）の毛先側を通して第二結び目（３６）を形成する第二引抜工程と、前記第二結び目（３６）に前記ピン（２５）を挿入し、前記第二束（３２）の先端側を引きつつ前記ピン（２５）を使用して前記第二結び目（３６）を前記第一結び目（３５）に寄せて、さらに前記第二束（３２）の先端側を引いて前記第二結び目（３６）を前記第一結び目（３５）に重ねた状態で固締めする第二連結工程と、を備えることを特徴とする。
【００２６】
なお、ここでいう二股状とは、少なくとも二股の部分を有することを意味する。
ここで、上記括弧内の記号は、図面および後述する発明を実施するための形態に掲載された対応要素または対応事項を示す。
【発明の効果】
【００２７】
本発明の請求項１に記載の増毛用結び具によれば、略円柱状で増毛用毛髪及び地毛を重ねた束を巻き付ける巻付部の先端側にスリットを設けるとともに、巻付部の内側に増毛用毛髪及び地毛を重ねた束を係止するフックを設けたので、巻付部に巻き付けられた束をスリットを介してフックに係止した状態で増毛用結び具を引くだけで、束が巻付部に巻き付けられて形成された大きさの輪に、束の毛先側を通して結び目を簡単に形成することができる。その後は、形成された結び目を束の所望の位置に寄せてそのまま固締めすれば増毛が完了する。
すなわち、巻き付けられて形成された輪に束の毛先側を通して結び目を形成する際に、作業者は、例えば左手で束を持ち右手で増毛用結び具を持ったままの状態で束をフックに係止させ増毛用結び具を引くだけで空中に浮いた状態で結び目を形成することができるので、作業者が左手の指で力を加えて直接結び目形成前の輪を押える必要はなく、従来のように、輪が乗り越えなければならない部分は存在しない。
また補助器具を用いる必要もないので補助器具が邪魔になることもない。
また、輪の大きさは常に巻付部の径と等しくなるので、束の毛先側を通して結び目を形成することを安定して行うことができる。
【００２８】
したがって、作業効率が上がるので、地毛に増毛用毛髪を結ぶ時間が短縮される。また、一定の速度で増毛作業を行えるようになるまでの時間も短縮される。
さらに、増毛用結び具に対して力を加えなくてよいので、増毛用結び具が変形し難い。よって、増毛用結び具のメンテナンスの必要もない。
しかも、増毛用毛髪及び地毛にも余計な力が掛からないので、増毛用毛髪及び地毛を傷付ける心配もない。
【００２９】
また、略円柱状の巻付部の内側にフックを有することで、束の毛先側を把持し、束の根元側が束の毛先側よりも巻付部の先端側に位置するように、増毛用結び具を回転させて束を巻付部に巻き付けるときに、結ぶ対象の地毛以外の地毛を巻き込み難いので、これによっても作業効率が上がる。
さらに、輪の大きさは巻付部の径のみに依るので、同じ径の巻付部においてスリットの幅を大きく形成しても結び目を形成する上で特に問題はない。これによれば、スリット幅を大きくすることで束の毛先側をフックよりもスリット奥側に容易に入れることができるので作業性が向上する。
【００３０】
また、請求項２に記載の増毛用結び具によれば、請求項１に記載の発明の作用効果に加え、巻付部の分割された一方にはスリット側に孔が形成され、フックは樹脂製の繊維材、例えば、釣り糸（テグス）などを孔に挿入してなるので、フックが折れたりあるいは弾力性がなくなった場合には、容易にフックだけを交換することができ、経済的である。また、フックは弾力性を有するので、束をフックよりもスリット奥側に入れる際に入れ易く、しかも束を入れた後にフックとの摩擦力によってフックに係止させ易い。
【００３１】
また、請求項３に記載の増毛用結び具によれば、請求項１又は２に記載の発明の作用効果に加え、棒状本体部の一端側の径は巻付部の径よりも大きく、棒状本体部と巻付部との境界に段差部を設けたので、増毛用毛髪及び地毛を重ねた束を巻付部に巻き付ける際に、巻き付けられた束が段差部に引っ掛かり段差部よりも棒状本体部の後端側に移動することが阻止される。よって、その後、巻付部に巻き付けられた束をフックに係止した状態で増毛用結び具を引いて巻付部に巻き付けられて形成された輪に、束の毛先側を通して結び目を形成する際に、輪を移動させる量が少なくて済むので、作業効率がよい。
【００３２】
また、請求項４に記載の増毛用結び具によれば、請求項１乃至３に記載の発明の作用効果に加え、巻付部の分割された一方の長さは他方の長さよりも短いので、増毛用毛髪及び地毛を重ねた束をスリットに通してフックに係止させる際に、作業者がスリットを視認し易い。また、増毛用毛髪及び地毛を重ねた束をスリットに通す際に、フックが設けられた側とは逆側となる巻付部の分割された他方に沿って束をスライドさせ易いので、容易に束をスリットに通すことができる。
【００３３】
また、請求項５に記載の増毛用結び具によれば、請求項１乃至４に記載の発明の作用効果に加え、フックは、巻付部の分割された他方から離間させた状態で、巻付部の分割された一方側に設けられるので、仮にフックが弾力性を有しない場合であっても、束をフックよりもスリット奥側に入れ、フックの根本側に束を係止することができる。また、フックの先端と巻付部の分割された他方には隙間があるので、例えば、束をフックよりスリット奥側に挿入した後に束がもつれてこぶなどが生じた場合でも束を隙間から前側に容易に取外すことができる。
【００３４】
また、請求項６に記載の増毛用結び具によれば、請求項１乃至５に記載の発明の作用効果に加え、巻付部の分割された他方の後端側内壁は、その先端側内壁よりも外側に位置するので、増毛用毛髪及び地毛を重ねた束をスリットに通してフックに係止させる際に、束がフックを越える前の状態のときに、先端側内壁と後端側内壁との段差によって不意に束がスリットから外れ難い。また、作業者は束を先端側内壁と後端側内壁との段差に沿わせることによって視認に加えて感覚によっても束の位置を容易に把握することができる。
しかも、フックの先端は先端側内壁よりも外側に位置するので、束をフックよりスリット奥側に入れたときには、束を十分にフックに係止することができる。
【００３５】
また、請求項７に記載の増毛用結び具によれば、請求項１乃至６に記載の発明の作用効果に加え、棒状本体部の他端側に、巻付部の径よりも径が小さく他端側に延びるピンが設けられたので、束の先端側を引きつつ結び目を束の所望の位置に寄せて、さらに束の先端側を引いて結び目を固締めする際に、結び目にこのピンを挿入して結び目を束の所望の位置に寄せることが容易にできる。
【００３６】
また、請求項８に記載の増毛用結び具の使用方法によれば、請求項１乃至６に記載の増毛用結び具の使用方法であって、巻付工程，係止工程，引抜工程，そして連結工程とを備えて、巻付工程にて増毛用毛髪及び地毛を重ねた束を巻付部に巻き付け、係止工程にて束の毛先側を巻付部の分割された他方に沿ってスライドさせフックよりもスリット奥側に入れた後、増毛用結び具を引いて束をフックに係止させ、引抜工程にて増毛用結び具をさらに引いて束が巻付部に巻き付けられて形成された輪に、束の毛先側を通して結び目を形成し、そして連結工程にて束の先端側を引きつつ結び目を束の所望の位置に寄せて固締めするといった一連の流れによって迅速かつ確実に増毛処理を施すことができる。
特に引抜工程においては、増毛用結び具を引くだけで束が巻付部に巻き付けられて形成された輪に束の毛先側が通され結び目が形成されるので作業性に優れる。
【００３７】
また、請求項９に記載の増毛用結び具の使用方法によれば、請求項１乃至６に記載の増毛用結び具の使用方法であって、請求項７に記載の増毛用結び具の使用方法であって、第一巻付工程，第一係止工程，第一引抜工程，そして第一連結工程によって、地毛に増毛用毛髪を固締めされた第一結び目で結んで増毛した後に、第二巻付工程，第二係止工程，第二引抜工程，そして第二連結工程によって、第一結び目に重ねて第二結び目を固締めするので、二重の結び目の形成により増毛用毛髪が地毛から簡単に外れるおそれはない。
【００３８】
また、請求項１０に記載の増毛用結び具の使用方法によれば、請求項７に記載の増毛用結び具の使用方法であって、特に連結工程において、棒状本体部の他端側に設けられた細いピンを結び目に挿入し、束の先端側を引きつつピンを使用して結び目を束の所望の位置に寄せて、さらに束の先端側を引いて結び目を固締めするので、連結を確実かつ瞬時に行うことができる。
【００３９】
また、請求項１１に記載の増毛用結び具の使用方法によれば、請求項７に記載の増毛用結び具の使用方法であって、特に第一連結工程及び第二連結工程において、棒状本体部の他端側に設けられた細いピンを第一結び目に挿入し、束の先端側を引きつつピンを使用して第一結び目を束の所望の位置に寄せて、さらに束の先端側を引いて第一結び目を固締めし、その後、形成された第二結び目にもピンを挿入し、束の先端側を引きつつピンを使用して第二結び目を第一結び目に寄せて、さらに束の先端側を引いて第二結び目を第一結び目に重ねた状態で固締めするので、第一結び目の連結及び第二結び目の連結を確実かつ瞬時に行うことができる。
【００４０】
なお、上述した特許文献１にも束を係止するフックについては記載されているが、本発明の増毛用結び具のように、略円柱状で束を巻き付ける巻付部と、巻付部の先端から巻付部の中心軸に平行に形成され巻付部を二股状に分割するスリットと、巻付部の分割された一方からスリット内に延設され束を係止するフックを備える点は、上述した特許文献１には全く記載されていないし、その増毛用結び具の使用方法についても全く記載されていない。
【図面の簡単な説明】
【００４１】
【図１】本発明の実施形態に係る増毛用結び具を示す平面図である。
【図２】図１に示す増毛用結び具における巻付部を示す拡大平面図である。
【図３】図１に示す増毛用結び具の使用方法のうち、巻付工程の前段階を示す平面図である。
【図４】図１に示す増毛用結び具の使用方法のうち、巻付工程の後段階を示す平面図である。
【図５】図１に示す増毛用結び具の使用方法のうち、係止工程を示す平面図である。
【図６】図１に示す増毛用結び具の使用方法のうち、引抜工程を示す平面図である。
【図７】図１に示す増毛用結び具の使用方法のうち、連結工程の前段階を示す平面図である。
【図８】図１に示す増毛用結び具の使用方法のうち、連結工程の後段階を示す平面図である。
【図９】本発明の実施形態に係る増毛用結び具を使用して、結び目を固締めして増毛処理を施した状態を示す模式図である。
【図１０】二つの結び目を重ねた状態で固締めして増毛処理を施した状態を示す模式図である。
【図１１】図１に示す増毛用結び具の使用方法のうち、地毛一本に対して増毛用毛髪二本を結ぶ使用方法を示す平面図である。
【図１２】結び目を固締めして増毛処理を施した状態を示す模式図であり、（ａ）は地毛一本に対して増毛用毛髪二本を連結して計５本にした状態を、（ｂ）は地毛一本に対して増毛用毛髪三本を連結して計７本にした状態を、（ｃ）は地毛（３本）にエクステンション（３本）を連結した状態を示す。
【図１３】本願発明の実施形態に係る別の増毛用結び具における巻付部を示す拡大平面図である。
【図１４】本願発明の実施形態に係るさらに別の増毛用結び具における巻付部を示す拡大平面図である。
【図１５】従来例に係る増毛用結び具を示す平面図である。
【図１６】図１５に示す増毛用結び具の使用方法のうち、巻付工程の前段階を示す平面図である。
【図１７】図１５に示す増毛用結び具の使用方法のうち、巻付工程の後段階を示す平面図である。
【図１８】図１５に示す増毛用結び具の使用方法のうち、係止工程を示す平面図である。
【図１９】図１５に示す増毛用結び具の使用方法のうち、引抜工程を示す平面図である。
【図２０】図１５に示す増毛用結び具の使用方法のうち、連結工程の前段階を示す平面図である。
【図２１】図１５に示す増毛用結び具の使用方法のうち、連結工程の後段階を示す平面図である。
【図２２】従来例に係る増毛用結び具を使用して、結び目を固締めして増毛処理を施した状態を示す模式図である。
【発明を実施するための形態】
【００４２】
図１乃至図１０を参照して、本発明の実施形態に係る増毛用結び具２０及びその使用方法を説明する。
この増毛用結び具２０は、棒状本体部２１と、巻付部２２と、スリット２３と、フック２４と、ピン２５と、を備え、地毛Ｊに対して増毛用毛髪Ｚを連結して増毛処理を施すものである。なお図面中において、地毛Ｊと増毛用毛髪Ｚとを区別するために、地毛Ｊは黒塗りとした。
【００４３】
棒状本体部２１は、直径８ｍｍ（なお、以下に示す数値は例示でありこれに限定されるものではない）の略円柱状であって、持ち易くするとともに位置決め機能と転がり防止機能を付加するために、長手方向に延びる平担な一面２１Ａ（図１では下面，図３では右側面）が設けられている（より具体的には断面がＤ字状）。そして、棒状本体部２１の滑り止め及びデザイン性向上のために、０．３ｍｍ程度削られたリング状の凹溝２１Ｂが棒状本体部２１の一端側に２つ、他端側に同じく２つ設けられている。
【００４４】
巻付部２２は、略円柱状で棒状本体部２１の一端側に設けられている。これは、増毛用毛髪Ｚ及び地毛Ｊを重ねた束３１（３２）を巻き付けて輪３３を形成するためのものである。
巻付部２２の直径は６ｍｍで、棒状本体部２１の一端側の直径（８ｍｍ）よりも小さく、棒状本体部２１と巻付部２２との境界は段差部２７となっている。また、巻付部２２の先端側は先細となるテーパー状になっている。なお、束３１，３２を巻き付ける直径６ｍｍの同一径部分は作業性を考慮して段差部２７から先端側にかけて１２ｍｍ程設けている。
【００４５】
スリット２３は、図２に示すように、巻付部２２の先端から巻付部２２の中心軸に平行に形成され、巻付部２２を二股状に分割する。スリット２３の幅（図２の上下方向）は、巻付部２２の先端側よりも、その奥側のほうが広くなっている。つまり、巻付部２２の分割された一方２２ａの後端側内壁２２ｄは、その先端側内壁２２ｃよりも外側に位置し、さらに巻付部２２の分割された他方２２ｂの後端側内壁２２ｆは、その先端側内壁２２ｅよりも外側に位置している。なお、スリット２３の先端側の幅Ｌは２ｍｍと髪の毛の太さよりもかなり広いが、巻付部２２の分割された一方２２ａ及び他方２２ｂの強度は十分にある。
そして、巻付部２２の分割された一方２２ａの長さは、他方２２ｂの長さよりも３ｍｍ程短い。
また、巻付部２２の分割された一方２２ａには外側からスリット２３側に後側（図２の右側）に向かって斜め略４５度に貫通する孔２６が形成されている。
【００４６】
フック２４は、束３１，３２を係止するもので、巻付部２２の分割された一方２２ａに形成された孔２６に挿入された直径０．３ｍｍの樹脂製繊維材からなる。ここでは、樹脂製繊維材として釣り糸（テグス）を使用したが特に限定されるものではない。フック２４が容易に孔２６から抜けてしまわないように、フック２４としてはその径が孔２６の径よりわずかだけ小さいものが選択されている。
挿入されたフック２４は孔２６からスリット２３内にその先端を孔２６の位置よりもスリット２３の奥側に位置させるように直線状に延びる。つまり、フック２４は、束３１，３２をスリット２３奥側に入れ易く、しかも一旦入った束３１，３２が外れ難くするような、逆止弁として機能する。このフック２４が巻付部２２の中心軸となす角度は略４５度である。
また、フック２４の先端は、巻付部２２の分割された他方の内壁２２ｆから１ｍｍ程度離間させた状態であって、かつ巻付部２２の分割された他方２２ｂの先端側内壁２２ｅよりも外側に位置する長さとしている。
【００４７】
ピン２５は、棒状本体部２１の他端側に形成され、他端側に延びる。巻付部２２の径よりもピン２５の径は小さい先細である。
なお、本実施形態においては、巻付部２２、棒状本体部２１、ピン２５は一本の軽量のアルミ棒を削って形成しているので、長時間この増毛用結び具２０を使用しても作業者に疲労が溜まり難い。
【００４８】
次に、このように構成された増毛用結び具２０の使用方法の例を説明する。この使用方法は、第一巻付工程と、第一係止工程と、第一引抜工程と、第一連結工程とを備えて第一結び目３５を固締めし、さらにその後に第二巻付工程と、第二係止工程と、第二引抜工程と、第二連結工程とを備えて第二結び目３６を固締めする。
【００４９】
まず、第一巻付工程において、図３に示すように、地毛Ｊに増毛用毛髪Ｚの略中央部が位置するように一本の増毛用毛髪Ｚと一本の地毛Ｊを重ねて第一束３１にし、左手で第一束３１の先端側を把持する。そして、巻付部２２の分割された一方２２ａが右側になるように右手で増毛用結び具２０を把持し、第一束３１を巻付部２２上で手前側（増毛用結び具２０の使用者手前側，図３の紙面手前側）に配置する。次に、図４に示すように、第一束３１の根元側が第一束３１の毛先側よりも巻付部２２の先端側（図４の上側）に位置するように、増毛用結び具２０を回転させて第一束３１を巻付部２２に巻き付ける。なお、巻付部２２を頭皮Ｔ側に向かって時計回りに回転させると、このような位置関係となる。
【００５０】
次に、第一係止工程において、図５に示すように、第一束３１の毛先側を巻付部２２の分割された他方２２ｂに沿ってスライドさせて、フック２４よりもスリット２３奥側に入れ、増毛用結び具２０を引いて第一束３１をフック２４に係止させる。
【００５１】
次に、第一引抜工程において、第一束３１がフック２４に係止された状態で増毛用結び具２０をさらに引いて、第一束３１が巻付部２２に巻き付けられて形成された輪３３に第一束３１の毛先側を通し、図６に示すように、緩い、つまり径の大きい第一結び目３５を形成する。そして、増毛用結び具２０を第一束３１の毛先側に移動させて、一旦、第一束３１から増毛用結び具２０を外す。
【００５２】
次に、第一連結工程において、図７に示すように、第一結び目３５にピン２５を挿入し、左手で第一束３１の先端側を引きつつピン２５を使用して、第一結び目３５を第一束３１の根元側に寄せて、さらに図８に示すように、第一束３１の先端側を引いて第一束３１の所望の位置（ここでは頭皮Ｔから１〜２ｍｍの位置）で第一結び目３５を固締めする。こうすることで増毛用毛髪Ｚの略中央部が第一結び目３５となるので、図９に示すように、一本の地毛Ｊに二本の増毛用毛髪Ｚが増毛される。なお、第一結び目３５を固締めする位置を頭皮Ｔにあまり接近した位置にすると突っ張り感が生じるのでここでは頭皮Ｔから１〜２ｍｍの位置とした。
【００５３】
そして、増毛用毛髪Ｚが地毛Ｊに強固に連結されるように、以上の工程をもう一度繰り返す。
つまり、第二巻付工程において、固締めされた増毛用毛髪Ｚ及び地毛Ｊを重ねて第二束３２にするとともに、第二束３２の毛先側を把持し、第二束３２の根元側が第二束３２の毛先側よりも巻付部２２の先端側に位置するように、増毛用結び具２０を回転させて第二束３２を巻付部２２に巻き付ける。
【００５４】
そして、第二係止工程で、第二束３２の毛先側を巻付部２２の分割された他方２２ｂに沿ってスライドさせフック２４よりもスリット２３奥側に入れ、増毛用結び具２０を引いて第二束３２をフック２４に係止させる。
【００５５】
次に、第二引抜工程において、第二束３２がフック２４に係止された状態で増毛用結び具２０をさらに引いて、第二束３２が巻付部２２に巻き付けられて形成された輪に、第二束３２の毛先側を通して第二結び目３６を形成する。
【００５６】
最後に、第二結び目３６にピン２５を挿入し、第二束３２の先端側を引きつつピン２５を使用して第二結び目３６を第一結び目３５に寄せて、さらに第二束３２の先端側を引いて、図１０に示すように、第二結び目３６を第一結び目３５に重ねた状態で固締めする。このように、第二結び目３６を第一結び目３５に重ねて二重に固締めすることで増毛用毛髪が地毛から簡単に外れるおそれはない。なお、第二結び目３６の固締め後は第一結び目３５の固締め後に比べ、増毛用毛髪Ｚが立ち上がり、地毛Ｊと増毛用毛髪Ｚとのなす角が小さくなる。
この一連の作業を、ユーザが増やしたい本数分だけ繰り返すことで、増毛処理を行うことができる。
【００５７】
以上のように構成された増毛用結び具２０によれば、略円柱状で増毛用毛髪Ｚ及び地毛Ｊを重ねた束３１を巻き付ける巻付部２２の先端側にスリット２３を設けるとともに、巻付部２２の内側に増毛用毛髪Ｚ及び地毛Ｊを重ねた束３１，３２を係止するフック２４を設けたので、第一，第二巻付工程で、巻付部に巻き付けられた第一束３１，第二束３２を、第一，第二係止工程で、スリット２３を介してフック２４に係止した状態で、第一，第一引抜工程で、増毛用結び具２０を引くだけで、第一束３１，第二束３２が巻付部２２に巻き付けられて形成された大きさの輪３３に、第一束３１，第二束３２の毛先側を通して第一結び目３５及び第二結び目３６を簡単に形成することができる。その後は、第一，第二連結工程で、形成された第一結び目３５及び第二結び目３６を第一束３１，第二束３２の所望の位置に寄せてそのまま固締めすれば増毛が完了する。
すなわち、巻き付けられて形成された輪３３に第一束３１や第二束３２の毛先側を通して第一結び目３５及び第二結び目３６を形成する際に、作業者は、例えば左手で第一束３１や第二束３２を持ち右手で増毛用結び具２０を持ったままの状態で第一束３１や第二束３２をフック２４に係止させ増毛用結び具２０を引くだけで空中に浮いた状態で第一結び目３５や第二結び目３６を形成することができるので、作業者が左手の指で力を加えて直接第一結び目３５や第二結び目３６を形成する前の輪３３を押える必要はない。
また、これによれば、形成される輪３３の大きさは常に巻付部２２の径と等しくなるので、この輪に第一束３１や第二束３２の毛先側を通して第一結び目３５や第二結び目３６を形成することを安定して行うことができる。
【００５８】
また、略円柱状の巻付部２２の内側にフック２４を有することで、第一，第二巻付工程において、結ぶ対象の地毛Ｊ以外の地毛Ｊを巻き込み難いので、これによっても作業効率が上がる。
さらに、輪３３の大きさは巻付部２２の径のみに依るので、同じ径の巻付部２２においてスリット２３の幅を大きく形成しても第一結び目３５や第二結び目３６を形成する上で特に問題はない。これによれば、第一，第二係止工程において、より容易に第一束３１，第二束３２をスリット２３に、そしてフック２４よりもスリット２３の奥側に通すことができる。
【００５９】
また、巻付部２２の分割された一方２２ａにはスリット２３側に孔２６が形成され、フック２４は樹脂製の繊維材を孔２６に挿入してなるので、フック２４が折れたりあるいは弾力性がなくなった場合には、容易にフック２４だけを交換することができ、経済的である。また、フック２４は弾力性を有するので、第一，第二係止工程において、第一束３１，第二束３２をフック２４よりもスリット２３奥側に入れる際に入れ易く、しかも入れた後にフック２４との摩擦力によってフック２４に係止させ易い。
【００６０】
また、棒状本体部２１の一端側の径は巻付部２２の径よりも大きく、棒状本体部２１と巻付部２２との境界に段差部２７を設けたので、第一，第二巻付工程において、巻き付けられた第一束３１，第二束３２が段差部２７に引っ掛かり段差部２７よりも棒状本体部２１の後端側に移動することが阻止される。よって、その後の第一，第二引抜工程において、増毛用結び具２０を引いて輪３３を移動させる量が少なくて済むので、作業効率がよい。
【００６１】
また、巻付部２２の分割された一方２２ａの長さは他方２２ｂの長さよりも短いので、第一，第二係止工程において、作業者がスリット２３を視認し易い。また、第一，第二係止工程において、長さの長い巻付部２２の分割された他方２２ｂに沿って第一束３１，第二束３２をスライドさせ易いので、容易に第一束３１，第二束３２をスリット２３に通すことができる。
また、フック２４の先端と巻付部２２の分割された他方２２ｂには隙間があるので、例えば、第一束３１，第二束３２をフック２４よりスリット２３奥側に挿入した後に第一束３１や第二束３２がもつれてこぶなどが生じた場合でも関係する束を隙間から前側に容易に取外すことができる。
【００６２】
また、巻付部２２の分割された他方２２ｂの後端側内壁２２ｆは、その先端側内壁２２ｅよりも外側に位置するので、第一，第二係止工程において、第一束３１，第二束３２がフック２４を越える前の状態のときに、先端側内壁２２ｅと後端側内壁２２ｆとの段差によって不意に第一束３１，第二束３２がスリット２３から外れ難い。また、作業者は、第一束３１，第二束３２を先端側内壁２２ｅと後端側内壁２２ｆとの段差に沿わせることによって視認に加えて感覚によっても第一束３１，第二束３２の位置を容易に把握することができる。
しかも、フック２４の先端は先端側内壁２２ｅよりも外側に位置するので、第一束３１，第二束３２をフック２４よりスリット２３奥側に入れたときには、第一束３１，第二束３２を十分にフック２４に係止することができる。
また、棒状本体部２１の他端側に、巻付部２２の径よりも径が小さく他端側に延びるピン２５が設けられたので、第一，第二連結工程において、第一結び目３５，第二結び目３６にピン２５を挿入して、第一結び目３５，第二結び目３６を第一束３１，第二束３２の所望の位置に寄せることが容易にできる。
【００６３】
なお、本実施形態において、一本の地毛Ｊに対し一本の増毛用毛髪Ｚを結んで計３本としたが、これに限られるものではなく、図１１に示すように、一本の地毛Ｊに対し二本の増毛用毛髪Ｚを結んで、最終的には図１２（ａ）で示すように、計５本にしてもよい。この場合も、増毛用結び具２０の使用方法は変わるものではない。
さらには、図１２（ｂ）に示すように、一本の地毛Ｊに対し三本の増毛用毛髪Ｚを結んで計７本としてもよい。
また、増毛用結び具２０の使用は薄毛のための増毛に限られるものではなく、図１２（ｃ）に示すように、頭髪の長さを長くしたりファッション性を高めるためのいわゆるエクステンションであってもよい。このときは、複数本の地毛Ｊに対し複数本の増毛用毛髪Ｚを結ぶことが多い。
【００６４】
また、フック２４は樹脂製の繊維材であるとしたが、これに限られるものではなく、図１３（ａ）に示すように、巻付部２２と同じ材質であってもよい。このとき、フック２４は弾力性を有しない（なお、フック２４を薄くすることで弾力性をもたせるようにしてもよい）が、フック２４が巻付部２２の分割された他方２２ｂから離間させた状態で設けられているならば、第一束３１，第二束３２をフック２４よりもスリット２３奥側に入れ、第一束３１，第二束３２をフック２４に係止することができる。
また、図１３（ｂ）に示すように、フック２４はスリット２３の奥側に向かって湾曲する円弧状であってもよい。さらに、フック２４の形状はこれら以外でもよく、第一束３１，第二束３２を係止でき、スリット２３内に延設されていればよい。
【００６５】
また、棒状本体部２１と巻付部２２との境界に段差部２７を設けたとしたが、両者は同一径であってもよい。但し、棒状本体部２１の径より巻付部２２の径のほうが大きいと、その逆段差によって引抜工程を円滑に行えなくなるので好ましくない。
さらに、巻付部２２の分割された一方２２ａの長さは、他方２２ｂの長さよりも短いとしたが、両者の長さは同一であってもよい。
また、フック２４は巻付部２２の分割された他方２２ｂから離間させた状態で設けられたとしたが、これに限られるものではなく、フック２４が弾力性を有しているならば、巻付部２２の分割された他方２２ｂに接していてもよい。
また、スリット２３は先端側よりも後端側のほうが幅広としたが、図１４に示すように、同一の幅であってもよい。
【００６６】
さらに、棒状本体部２１の他端側に、巻付部２２の径よりも径が小さく他端側に延びるピン２５が設けられたとしたが、これに限られるものではない。つまり、第一，第二連結工程において、ピン２５を用いず、何らかの他の手段、例えば、長さのある巻付部２２の分割された他方２２ｂによって第一結び目３５及び第二結び目３６を第一束３１，第二束３２の所望の位置に寄せてもよい。
また、第一結び目３５に重ねて第二結び目３６を固締めしたが、少なくとも第一結び目３５が形成されれば増毛用毛髪Ｚは地毛Ｊに連結される。つまり、第一連結工程までの工程で一連の増毛作業を終了することも可能である。
【符号の説明】
【００６７】
１０      増毛用結び具
１１      棒状本体部
１２      案内ピン
１３      フック
１３ａ    湾曲部
１４      引出ピン
１６      束
１７      輪
１８      結び目
２０      増毛用結び具
２１      棒状本体部
２１Ａ    平担面
２１Ｂ    凹溝
２２      巻付部
２２ａ    分割された一方
２２ｂ    分割された他方
２２ｃ    分割された一方の先端側内壁
２２ｄ    分割された一方の後端側内壁
２２ｅ    分割された他方の先端側内壁
２２ｆ    分割された他方の後端側内壁
２３      スリット
２４      フック
２５      ピン
２６      孔
２７      段差部
３１      第一束（束）
３２      第二束
３３      輪
３５      第一結び目（結び目）
３６      第二結び目
Ｊ      地毛
Ｔ      頭皮
Ｚ      増毛用毛髪
【図１】
2011202324.tif 000003
【図２】
2011202324.tif 000004
【図３】
2011202324.tif 000005
【図４】
2011202324.tif 000006
【図５】
2011202324.tif 000007
【図６】
2011202324.tif 000008
【図７】
2011202324.tif 000009
【図８】
2011202324.tif 000010
【図９】
2011202324.tif 000011
【図１０】
2011202324.tif 000012
【図１１】
2011202324.tif 000013
【図１２】
2011202324.tif 000014
【図１３】
2011202324.tif 000015
【図１４】
2011202324.tif 000016
【図１５】
2011202324.tif 000017
【図１６】
2011202324.tif 000018
【図１７】
2011202324.tif 000019
【図１８】
2011202324.tif 000020
【図１９】
2011202324.tif 000021
【図２０】
2011202324.tif 000022
【図２１】
2011202324.tif 000023
【図２２】
2011202324.tif 000024